【手続補正書】
【提出日】平成17年9月12日(2005.9.12)
【手続補正１】
【補正対象書類名】明細書
【補正対象項目名】発明の名称
【補正方法】変更
【補正の内容】
【発明の名称】圧力分散部材、現像カートリッジ及びプロセスカートリッジ
【手続補正２】
【補正対象書類名】明細書
【補正対象項目名】特許請求の範囲
【補正方法】変更
【補正の内容】
【特許請求の範囲】
【請求項１】
電子写真感光体に形成された静電潜像を現像する現像ローラであって、弾性体からなるローラ部と、前記ローラ部を支持する軸部とを有する現像ローラと、
前記ローラ部と接触して、前記ローラ部上の現像剤の量を規制する現像剤規制部材と、
を有する現像装置に用いられる、前記現像ローラと前記現像剤規制部材との間に取り外し可能に装着される圧力分散部材であって、
前記圧力分散部材が前記現像ローラと前記現像剤規制部材との間に装着された際に、前記ローラ部と前記現像剤規制部材との間にはさまれる接触部
を有し、
前記接触部の硬度は、所定硬度以上であり、かつ、前記ローラ部の硬度以下であることを特徴とする圧力分散部材。
【請求項２】
前記接触部はウレタンゴムであることを特徴とする請求項１に記載の圧力分散部材。
【請求項３】
前記接触部の厚みは０．５ｍｍ〜２ｍｍであることを特徴とする請求項１または２に記載の圧力分散部材。
【請求項４】
前記接触部の硬度は、５°〜４５°（アスカーＣ）であることを特徴とする請求項１，２または３に記載の圧力分散部材。
【請求項５】
前記接触部の体積抵抗率は１０１０Ω・ｃｍ以下であることを特徴とする請求項１乃至４のいずれか１項に記載の圧力分散部材。
【請求項６】
電子写真画像形成装置本体に着脱可能な現像カートリッジにおいて、
電子写真感光体に形成された静電潜像を現像するための現像ローラであって、弾性体からなるローラ部と、前記ローラ部を支持する軸部とを有する現像ローラと、
前記ローラ部と接触して、前記ローラ部上の現像剤の量を規制する現像剤規制部材と、
前記現像ローラと前記現像剤規制部材との間に取り外し可能に装着される圧力分散部材であって、圧力分散部材が前記現像ローラと前記現像剤規制部材との間に装着された際に、前記ローラ部と前記現像剤規制部材との間にはさまれる接触部を有し、前記接触部の硬度は、所定硬度以上であり、かつ、前記ローラ部の硬度以下である圧力分散部材と、
を有することを特徴とする現像カートリッジ。
【請求項７】
前記接触部はウレタンゴムであることを特徴とする請求項６に記載の現像カートリッジ。
【請求項８】
前記接触部の厚みは０．５ｍｍ〜２ｍｍであることを特徴とする請求項６または７に記載の現像カートリッジ。
【請求項９】
前記接触部の硬度は、５°〜４５°（アスカーＣ）であることを特徴とする請求項６，７または８に記載の現像カートリッジ。
【請求項１０】
前記接触部の体積抵抗率は１０１０Ω・ｃｍ以下であることを特徴とする請求項６乃至９のいずれか１項に記載の現像カートリッジ。
【請求項１１】
電子写真画像形成装置本体に着脱可能なプロセスカートリッジにおいて、
電子写真感光体と、
前記電子写真感光体に形成された静電潜像を現像するための現像ローラであって、弾性体からなるローラ部と、前記ローラ部を支持する軸部とを有する現像ローラと、
前記ローラ部と接触して、前記ローラ部上の現像剤の量を規制する現像剤規制部材と、
前記現像ローラと前記現像剤規制部材との間に取り外し可能に装着される圧力分散部材であって、圧力分散部材が前記現像ローラと前記現像剤規制部材との間に装着された際に、前記ローラ部と前記現像剤規制部材との間にはさまれる接触部を有し、前記接触部の硬度は、所定硬度以上であり、かつ、前記ローラ部の硬度以下である圧力分散部材と、
を有することを特徴とするプロセスカートリッジ。
【請求項１２】
前記接触部はウレタンフォームであることを特徴とする請求項１１に記載のプロセスカートリッジ。
【請求項１３】
前記接触部の厚みは０．５ｍｍ〜２ｍｍであることを特徴とする請求項１１または１２に記載のプロセスカートリッジ。
【請求項１４】
前記接触部の硬度は、５°〜４５°（アスカーＣ）であることを特徴とする請求項１１，１２または１３に記載のプロセスカートリッジ。
【請求項１５】
前記接触部の体積抵抗率は１０１０Ω・ｃｍ以下であることを特徴とする請求項１１乃至１４のいずれか１項に記載のプロセスカートリッジ。
【手続補正３】
【補正対象書類名】明細書
【補正対象項目名】００１３
【補正方法】変更
【補正の内容】
【００１３】
【課題を解決するための手段】
上記目的を達成するために本発明にあっては、
電子写真感光体に形成された静電潜像を現像する現像ローラであって、弾性体からなるローラ部と、前記ローラ部を支持する軸部とを有する現像ローラと、
前記ローラ部と接触して、前記ローラ部上の現像剤の量を規制する現像剤規制部材と、
を有する現像装置に用いられる、前記現像ローラと前記現像剤規制部材との間に取り外し可能に装着される圧力分散部材であって、
前記圧力分散部材が前記現像ローラと前記現像剤規制部材との間に装着された際に、前記ローラ部と前記現像剤規制部材との間にはさまれる接触部
を有し、
前記接触部の硬度は、所定硬度以上であり、かつ、前記ローラ部の硬度以下であることを特徴とする。
【手続補正４】
【補正対象書類名】明細書
【補正対象項目名】００１４
【補正方法】変更
【補正の内容】
【００１４】
また、電子写真画像形成装置本体に着脱可能な現像カートリッジにおいて、
電子写真感光体に形成された静電潜像を現像するための現像ローラであって、弾性体からなるローラ部と、前記ローラ部を支持する軸部とを有する現像ローラと、
前記ローラ部と接触して、前記ローラ部上の現像剤の量を規制する現像剤規制部材と、
前記現像ローラと前記現像剤規制部材との間に取り外し可能に装着される圧力分散部材であって、圧力分散部材が前記現像ローラと前記現像剤規制部材との間に装着された際に、前記ローラ部と前記現像剤規制部材との間にはさまれる接触部を有し、前記接触部の硬度は、所定硬度以上であり、かつ、前記ローラ部の硬度以下である圧力分散部材と、
を有することを特徴とする。
【手続補正５】
【補正対象書類名】明細書
【補正対象項目名】００１５
【補正方法】変更
【補正の内容】
【００１５】
また、電子写真画像形成装置本体に着脱可能なプロセスカートリッジにおいて、
電子写真感光体と、
前記電子写真感光体に形成された静電潜像を現像するための現像ローラであって、弾性体からなるローラ部と、前記ローラ部を支持する軸部とを有する現像ローラと、
前記ローラ部と接触して、前記ローラ部上の現像剤の量を規制する現像剤規制部材と、
前記現像ローラと前記現像剤規制部材との間に取り外し可能に装着される圧力分散部材であって、圧力分散部材が前記現像ローラと前記現像剤規制部材との間に装着された際に、前記ローラ部と前記現像剤規制部材との間にはさまれる接触部を有し、前記接触部の硬度は、所定硬度以上であり、かつ、前記ローラ部の硬度以下である圧力分散部材と、
を有することを特徴とする。
【手続補正６】
【補正対象書類名】明細書
【補正対象項目名】００１６
【補正方法】変更
【補正の内容】
【００１６】
かかる構成とすることにより、特に、工場出荷からの物流時の現像ローラの圧縮変形及び圧縮歪みを防ぎ、現像ローラの圧縮変形、もしくは圧縮歪みによる使用初期からの画像不良を防ぐことができる。
【手続補正７】
【補正対象書類名】明細書
【補正対象項目名】００１７
【補正方法】変更
【補正の内容】
【００１７】
前記接触部はウレタンゴムであるとよい。
【手続補正８】
【補正対象書類名】明細書
【補正対象項目名】００１８
【補正方法】変更
【補正の内容】
【００１８】
前記接触部の厚みは０．５ｍｍ〜２ｍｍであるとよい。
【手続補正９】
【補正対象書類名】明細書
【補正対象項目名】００１９
【補正方法】変更
【補正の内容】
【００１９】
前記接触部の硬度は、５°〜４５°（アスカーＣ）であるとよい。
【手続補正１０】
【補正対象書類名】明細書
【補正対象項目名】００２０
【補正方法】変更
【補正の内容】
【００２０】
前記接触部の体積抵抗率は１０１０Ω・ｃｍ以下であるとよい。
【手続補正１１】
【補正対象書類名】明細書
【補正対象項目名】００２１
【補正方法】変更
【補正の内容】
【００２１】
かかる構成とすることにより、前記現像ローラに摺擦帯電メモリが生じて画像に影響が出ることを防止することができる。
【手続補正１２】
【補正対象書類名】明細書
【補正対象項目名】００７０
【補正方法】変更
【補正の内容】
【００７０】
【発明の効果】
以上説明したように、本発明によれば、特に、工場出荷からの物流時の現像ローラの圧縮変形及び圧縮歪みを防ぎ、現像ローラの圧縮変形、もしくは圧縮歪みによる使用初期からの画像不良を防ぐことができる。
【手続補正１３】
【補正対象書類名】明細書
【補正対象項目名】００７１
【補正方法】変更
【補正の内容】
【００７１】
また、圧力分散部材を除去する際に生じる現像ローラの摺擦メモリによる画像への悪影響を防止することができるので、使用初期からの画像不良を防止することができる。